【手続補正書】
【提出日】平成26年2月3日(2014.2.3)
【手続補正１】
【補正対象書類名】明細書
【補正対象項目名】００６７
【補正方法】変更
【補正の内容】
【００６７】
本明細書における先行技術（またはそれから得られる情報）あるいは公知の事項についての言及は、それらの刊行物（またはそれから得られる情報）あるいは公知の事項が、本明細書の関係する分野の公知技術の一部を構成するものであることの自認または承認またはいかなる示唆を示すものでもなく、またそのように見なすべきではない。
本願発明は以下の態様を含む。
（態様１）
フィラーによって、２つの部品のそれぞれのセラミック酸化物表面を結合するためのろう付け方法であって、
酸化雰囲気中で前記フィラーを加熱する工程と、
前記２つの部品の前記セラミック酸化物表面を前記加熱されたフィラーと接触させ、それによって、前記フィラーが前記セラミック酸化物表面をぬらす工程と、
前記セラミック酸化物表面同士の間で前記フィラーを冷却して固化させ、それによって、前記２つの部品の前記それぞれのセラミック酸化物表面を結合させる工程と、
を含んで成り、
前記加熱する工程および前記接触させる工程において、前記フィラーが、少なくとも１つの溶融貴金属と酸化物成分とから実質的に成り、該酸化物成分が、少なくとも１つの金属の安定で不揮発性の酸化物の１つまたはそれより多くから形成され、かつ該酸化物成分が、前記溶融貴金属と大きく合金化せず、それによって、溶融貴金属の表面上に存在する、ろう付け方法。
（態様２）
前記セラミック酸化物表面と接触させた状態で前記フィラーを加熱することを特徴とする、態様１に記載のろう付け方法。
（態様３）
前記少なくとも１つの貴金属が、銀（Ａｇ）、金（Ａｕ）、白金（Ｐｔ）およびパラジウム（Ｐｄ）のうちの１つまたはそれより多くを含んで成ることを特徴とする、態様１または２に記載のろう付け方法。
（態様４）
前記少なくとも１つの金属が、アルミニウム（Ａｌ）、錫（Ｓｎ）、ニッケル（Ｎｉ）、コバルト（Ｃｏ）、クロム（Ｃｒ）、鉄（Ｆｅ）、ジルコニウム（Ｚｒ）およびチタン（Ｔｉ）のうちの１つまたはそれより多くを含んで成ることを特徴とする、態様１〜３のいずれか１つに記載のろう付け方法。
（態様５）
前記セラミック酸化物表面の少なくとも１つが、ＹＳＺのようなジルコニア、Ｃｒ２Ｏ３およびＡｌ２Ｏ３のうちの１つまたはそれより多くを含んで成ることを特徴とする、態様１〜４のいずれか１つに記載のろう付け方法。
（態様６）
加熱する前に、前記フィラーが、前記少なくとも１つの貴金属を含んで成る粉末、前記少なくとも１つの金属を含んで成る付加的な粉末および結合剤のペーストまたはスラリーを含んで成ることを特徴とする、態様１〜５のいずれか１つに記載のろう付け方法。
（態様７）
前記付加的な粉末の前記少なくとも１つの金属が、水素化物であることを特徴とする、態様６に記載のろう付け方法。
（態様８）
前記少なくとも１つの貴金属を含んで成る粉末および前記少なくとも１つの金属を含んで成る付加的な粉末の平均粒子半径が、０．１ミクロン〜１００ミクロンの範囲であることを特徴とする、態様６または７に記載のろう付け方法。
（態様９）
前記少なくとも１つの金属を含んで成る付加的な粉末の平均粒子サイズが、前記少なくとも１つの貴金属を含んで成る粉末の平均粒子サイズよりも小さいことを特徴とする、態様６〜８のいずれか１つに記載のろう付け方法。
（態様１０）
前記少なくとも１つの貴金属を含んで成る粉末が、第１貴金属の粉末および付加的な貴金属の粉末または貴金属の合金の粉末を含んで成ることを特徴とする、態様６〜９のいずれか１つに記載のろう付け方法。
（態様１１）
前記少なくとも１つの金属を含んで成る粉末が、第１金属の粉末および第２金属の粉末または金属の合金の粉末を含んで成ることを特徴とする、態様６〜１０のいずれか１つに記載のろう付け方法。
（態様１２）
前記少なくとも１つの金属が、前記フィラー中の全金属の約１０重量％まで含まれることを特徴とする、態様１〜１１のいずれか１つに記載のろう付け方法。
（態様１３）
前記少なくとも１つの金属が、前記全金属の約０．１重量％〜約５重量％の範囲で含まれることを特徴とする、態様１２に記載のろう付け方法。
（態様１４）
前記少なくとも１つの金属が、前記全金属の約０．１重量％〜約１重量％の範囲で含まれることを特徴とする、態様１３に記載のろう付け方法。
（態様１５）
前記酸化雰囲気が、空気であることを特徴とする、態様１〜１４のいずれか１つに記載のろう付け方法。
（態様１６）
前記フィラーを、前記少なくとも１つの貴金属の融点よりも約３℃〜約１５℃高い範囲で加熱することを特徴とする、態様１〜１５のいずれか１つに記載のろう付け方法。
（態様１７）
ろう材フィラーによって、一体に結合された少なくとも２つの部品を含んで成る製品であって、
前記ろう材フィラーが、前記部品のそれぞれのセラミック酸化物表面を結合しており、また、該ろう材フィラーが、貴金属と、アルミニウム（Ａｌ）、錫（Ｓｎ）、ニッケル（Ｎｉ）、コバルト（Ｃｏ）、クロム（Ｃｒ）、鉄（Ｆｅ）、ジルコニウム（Ｚｒ）およびチタン（Ｔｉ）１つまたはそれより多くの酸化物とから成る、製品。
（態様１８）
フィラーによって、２つの部品のそれぞれのセラミック酸化物表面を結合するためのろう付け方法であって、
酸化雰囲気中で前記フィラーを加熱する工程と、
前記２つの部品の前記セラミック酸化物表面を前記加熱されたフィラーと接触させ、それによって、前記フィラーが前記セラミック酸化物表面をぬらす工程と、
前記セラミック酸化物表面同士の間で前記フィラーを冷却して固化させ、それによって、前記２つの部品の前記それぞれのセラミック酸化物表面を結合させる工程と、
を含んで成り、
前記加熱する工程および前記接触させる工程において、前記フィラーが、少なくとも１つの溶融貴金属と酸化物成分とから実質的に成り、該酸化物成分が、少なくとも１つの金属の安定で不揮発性の酸化物の１つまたはそれより多くから形成され、かつ該酸化物成分が、前記溶融貴金属と大きく合金化できず、それによって、溶融貴金属の表面上に存在する、ろう付け方法。
【手続補正２】
【補正対象書類名】特許請求の範囲
【補正対象項目名】全文
【補正方法】変更
【補正の内容】
【特許請求の範囲】
【請求項１】
フィラーによって、２つの部品のそれぞれのセラミック酸化物表面を結合するためのろう付け方法であって、
酸化雰囲気中でフィラー成分を加熱する工程であって、前記フィラー成分は貴金属および少なくとも１つの第２金属を含み、前記少なくとも１つの第２金属は、前記フィラー成分中の金属の全重量の約１０重量％以下を構成し、加熱する工程の間、前記フィラー成分は、溶融貴金属と、前記少なくとも１つの第２金属の酸化物成分と、不可避不純物とから成る加熱されたフィラーを形成する、工程と、
前記２つの部品の前記セラミック酸化物表面を前記加熱されたフィラーと接触させる工程と、
前記セラミック酸化物表面同士の間で前記フィラーを冷却して固化させ、それによって、前記２つの部品の前記それぞれのセラミック酸化物表面を結合させる工程と、
を含んで成り、
前記酸化物成分が、前記少なくとも１つの第２金属の安定で不揮発性の酸化物の１つまたはそれより多くから形成され、かつ該酸化物成分の約１重量％以下が、前記加熱する工程および前記接触させる工程の間に前記溶融貴金属と合金化し、それによって、該酸化物成分は、前記溶融貴金属の表面上に存在し、前記加熱されたフィラーは、前記セラミック酸化物表面をぬらす、ろう付け方法。
【請求項２】
前記セラミック酸化物表面と接触させた状態で前記フィラー成分を加熱することを特徴とする、請求項１に記載のろう付け方法。
【請求項３】
前記貴金属が、銀（Ａｇ）、金（Ａｕ）、白金（Ｐｔ）およびパラジウム（Ｐｄ）のうちの１つまたはそれより多くを含んで成ることを特徴とする、請求項１または２に記載のろう付け方法。
【請求項４】
前記少なくとも１つの第２金属が、アルミニウム（Ａｌ）、錫（Ｓｎ）、ニッケル（Ｎｉ）、コバルト（Ｃｏ）、クロム（Ｃｒ）、鉄（Ｆｅ）、ジルコニウム（Ｚｒ）およびチタン（Ｔｉ）のうちの１つまたはそれより多くを含んで成ることを特徴とする、請求項１〜３のいずれか１項に記載のろう付け方法。
【請求項５】
前記セラミック酸化物表面の少なくとも１つが、ジルコニア、Ｃｒ２Ｏ３およびＡｌ２Ｏ３のうちの１つまたはそれより多くを含んで成ることを特徴とする、請求項１〜４のいずれか１項に記載のろう付け方法。
【請求項６】
前記セラミック酸化物表面の少なくとも１つが、ＹＳＺを含んで成ることを特徴とする、請求項１〜４のいずれか１項に記載のろう付け方法。
【請求項７】
加熱する前に、前記フィラー成分が、前記貴金属を含んで成る粉末、前記少なくとも１つの第２金属を含んで成る付加的な粉末および結合剤のペーストまたはスラリーを含んで成ることを特徴とする、請求項１〜６のいずれか１項に記載のろう付け方法。
【請求項８】
前記付加的な粉末の前記少なくとも１つの第２金属の少なくともいくらかが、水素化物であることを特徴とする、請求項７に記載のろう付け方法。
【請求項９】
前記貴金属を含んで成る粉末および前記少なくとも１つの第２金属を含んで成る付加的な粉末の平均粒子径が、０．１ミクロン〜１００ミクロンの範囲であることを特徴とする、請求項７または８に記載のろう付け方法。
【請求項１０】
前記少なくとも１つの第２金属を含んで成る付加的な粉末の平均粒子サイズが、前記貴金属を含んで成る粉末の平均粒子サイズよりも小さいことを特徴とする、請求項７〜９のいずれか１項に記載のろう付け方法。
【請求項１１】
前記貴金属を含んで成る粉末が、第１貴金属の粉末および付加的な貴金属の粉末または貴金属の合金の粉末を含んで成ることを特徴とする、請求項７〜１０のいずれか１項に記載のろう付け方法。
【請求項１２】
前記少なくとも１つの第２金属を含んで成る付加的な粉末が、一の第２金属の粉末およびもう１つの第２金属の粉末または第２金属の合金の粉末を含んで成ることを特徴とする、請求項７〜１１のいずれか１項に記載のろう付け方法。
【請求項１３】
前記少なくとも１つの第２金属が、前記フィラー成分中の全金属の約０．１重量％〜約５重量％の範囲で含まれることを特徴とする、請求項１〜１２のいずれか１項に記載のろう付け方法。
【請求項１４】
前記少なくとも１つの第２金属が、前記フィラー成分中の全金属の約０．１重量％〜約１重量％の範囲で含まれることを特徴とする、請求項１３に記載のろう付け方法。
【請求項１５】
前記酸化雰囲気が、空気であることを特徴とする、請求項１〜１４のいずれか１項に記載のろう付け方法。
【請求項１６】
前記フィラー成分を、前記貴金属の融点よりも約３℃〜約１５℃高い範囲で加熱することを特徴とする、請求項１〜１５のいずれか１項に記載のろう付け方法。
【請求項１７】
ろう材フィラーによって、一体に結合された少なくとも２つの部品を含んで成る製品であって、
前記ろう材フィラーが、前記部品のそれぞれのセラミック酸化物表面を結合しており、また、該ろう材フィラーが、貴金属と、前記貴金属における１つまたはそれより多くの第２金属の表面酸化物と、任意の不可避不純物とから成り、前記１つまたはそれより多くの第２金属は、前記貴金属と異なり且つ該１つまたはそれより多くの第２金属がろう材フィラー中の金属の全重量の１０重量％以下を構成するようなレベルで存在し、前記１つまたはそれより多くの第２金属の前記酸化物の約１重量％以下が、前記貴金属と合金化される、製品。
【請求項１８】
前記少なくとも２つの部品が、請求項１〜１６のいずれか１項に記載のろう付け方法により結合された、請求項１７に記載の製品。